(57)【要約】【課題】商品販売データ処理装置に搭載されるカードリーダライタであって、カードリーダライタが非使用時は本体内に収納される情報処理装置を提供する。【解決手段】商品に設けられたコードを取得するコード情報取得部と、情報記録部を有する情報カードより情報を取得するヘッド部を有するリーダライタと、リーダライタを収納するリーダライタ収納部と、リーダライタをリーダライタ収納部内に保持するリーダライタ係止部とを情報処理装置に設けた。【選択図】  図１
2015046101.tif 000002
【特許請求の範囲】
【請求項１】
商品に設けられたコードを取得するコード情報取得部と、
情報記録部を有する情報カードより情報を取得するヘッド部を有するリーダライタと、
前記リーダライタを収納するリーダライタ収納部と、
前記リーダライタを前記リーダライタ収納部内に保持するリーダライタ係止部と
を有する情報処理装置。
【請求項２】
前記情報処理装置は、前記情報カードの利用の有無を入力する入力部と、        
前記入力部の入力情報により前記リーダライタ係止部による前記リーダライタの前記リーダライタ収納部内での保持を解除するリーダライタ保持解除指令部をさらに有する請求項１記載の情報処理装置。
【請求項３】
前記リーダライタが収納位置に移動したかを認識する位置認識センサと、前記位置認識センサの信号により前記リーダライタ係止部を駆動させるリーダライタ保持駆動指令部をさらに有する請求項１または請求項２記載の情報処理装置。
【請求項４】
前記リーダライタが収納位置に移動したことを前記位置認識センサが認識するまで、操作者に対して警告を表示する表示部をさらに有する請求項３記載の情報処理装置。
【発明の詳細な説明】
【技術分野】
【０００１】
本発明の実施形態は、商品を購入する際に使用する商品販売データ処理装置に関する。
【背景技術】
【０００２】
買物客が商品を購入の際、電子式キャッシュレジスタやＰＯＳ（Ｐｏｉｎｔ  Ｏｆ  Ｓａｌｅｓ：販売時点情報管理）ターミナル等の商品販売データ処理装置を用いて精算がおこなわれる。精算の際には、現金による支払以外にクレジットカードによる支払等種々の支払い方法がある。
【０００３】
クレジットカード支払いの際、商品販売データ処理装置に設けられているカードリーダライタ部にてクレジットカードの磁気データにアクセスする事で使用可否確認、精算処理を行なう。
【０００４】
商品販売データ処理装置は色々な店舗にて用いられ、水分を含んだ商品の販売処理後即クレジットカード支払処理等カードリーダライタ部に水滴等が落下する環境下で使用される場合も存在する。カードリーダライタ部に水滴等が落下すると故障の原因となるおそれがあるため、カードリーダライタ部に保護カバーを取り付ける事でカードリーダライタ部に水滴等が落下するのを防ぐ事も知られている。
【０００５】
カードリーダライタ部にカバーを付ける事で、水滴等が落下する事は防止出来るものの、商品販売データ処理装置のカードリーダライタ部使用後に保護カバーを閉め忘れると、カードリーダライタ部に水滴が落下し故障の原因となってしまう。
【先行技術文献】
【特許文献】
【０００６】
【特許文献１】特開平５−３３４５４７号公報
【発明の概要】
【発明が解決しようとする課題】
【０００７】
本発明は、カードリーダライタを搭載するデータ処理装置であって、非使用時は本体内に収納される商品販売データ処理装置を提供する。
【課題を解決するための手段】
【０００８】
実施形態の商品販売データ処理装置は、商品に設けられたコードを取得するコード情報取得部と、情報記録部を有する情報カードより情報を取得するヘッド部を有するリーダライタと、リーダライタを収納するリーダライタ収納部と、リーダライタを前記リーダライタ収納部内に保持するリーダライタ係止部とを有している。
【図面の簡単な説明】
【０００９】
【図１】本実施形態に係る商品販売データ処理装置の要部構成図である。
【図２】本実施形態に係る制御回路構成ブロック図である。
【図３】本実施形態に係るリーダライタが使用可能状態時の商品販売データ処理装置の要部構成図である。
【図４】本実施形態に係る商品販売データ処理装置を用いての精算処理の流れを示す流れ図である。
【図５】本実施形態に係るリーダライタの保持機構を示す要部構成図である。
【発明を実施するための形態】
【００１０】
以下に本発明の一実施形態にかかる商品販売データ処理装置を図１を参照して詳細に説明する。
【００１１】
商品販売データ処理装置であるＰＯＳ端末１００は、紙幣や硬貨を保管するドロワ１１０と、商品情報等を入力するキーボード１２０と、ＰＯＳ端末１００の操作者であるオペレータに伝える各種情報を表示するオペレータ用表示器１３０と、精算後のレシート等を出力するレシートプリンタ１４０と、買物客に対して伝える各種情報を表示する客用表示器１５０と、商品に印刷もしくは貼付されているバーコードを読み取り、バーコードに含まれている商品コードを取得するバーコードスキャナ１６０と、クレジットカード決済の際に、クレジットカードに設けられた磁気ストライプや、磁気ＩＣなどにアクセスするリーダライタ１７０と、後述する、リーダライタ１７０をＰＯＳ端末１００内部より押し出すリーダライタ開放機構１８０が設けられている。
【００１２】
図２に、第１の実施形態に係るＰＯＳ端末１００の制御回路構成を説明するブロック図を示す。
【００１３】
制御部５１は、ストアサーバ２００やカード会社サーバ３００との連係および各種の制御の実行をおこなう、例えば、マイクロコンピュータで構成されている。制御部５１の中央処理装置（ＣＰＵ）５２は、プログラムに従って、ドロワの開閉、キーボードによる入力情報の受付、オペレータ用表示器への各種情報の表示、レシートプリンタへの出力ならびにレシート等の発行、客用表示器への各種情報の表示、バーコードスキャナによる入力情報の受付、リーダライタの駆動、オープンスイッチの駆動およびソレノイドの駆動等の各種の制御や演算をおこなう。
【００１４】
またこのＣＰＵ５２は、時間設定および時間制御をおこなう手段としてタイマ５３を備えている。
【００１５】
また制御部５１には、ＣＰＵ５２で実行する制御プログラムや制御または演算途上のデータ等を格納する主記憶手段としてＲＯＭ５４およびＲＡＭ５５が設置されている。
【００１６】
ＲＯＭ５４は制御プログラムやテーブル等を持つ読出し専用メモリであり、ＲＡＭ５５は演算途上のデータ等を格納する随時書込みメモリである。
【００１７】
制御部５１には、ストアサーバ２００やカード会社サーバ３００との各種データのやり取りをおこなう入出力ユニット（Ｉ／Ｏ）５６が設けられている。
【００１８】
このＩ／Ｏ５６は、ＣＰＵ５２、ＲＯＭ５４およびＲＡＭ５５とがバスを通じて接続されている。
【００１９】
Ｉ／Ｏ５６には制御出力を取り出すための手段として、第１、第２、第３、第４、第５、第６、第７、第８および第９のドライバ５７、５８、５９、６０、６１、６２、６３、６４、６５が接続されている。
【００２０】
第１のドライバ５７はドロワ１１０へ必要な駆動出力を供給する。第２のドライバ５８はキーボード１２０へ必要な駆動出力を供給したり、後述するクレジット精算開始時の駆動出力を受領する。第３のドライバ５９はオペレータ用表示器１３０に各種表示をおこなわせる表示駆動出力を供給する。第４のドライバ６０はレシートプリンタ１４０への駆動出力を供給する。第５のドライバ６１は客用表示器１５０に各種表示をおこなわせる表示駆動出力を供給する。第６のドライバ６２はバーコードスキャナ１６０への駆動出力を供給する。第７のドライバ６３はリーダライタ１７０への駆動出力を供給する。第８のドライバ６４はオープンスイッチ２０への駆動出力を供給する。第９のドライバ６５はソレノイド２１への駆動出力を供給する。
【００２１】
制御部５１のＣＰＵ５２は、ドライバ５７を介して、ドロワ１１０の開放駆動、閉止確認等をおこなう。
【００２２】
制御部５１のＣＰＵ５２は、ドライバ５８を介して、キーボード１２０より入力された情報を受け取ったり、クレジット精算開始時の信号を出力する。
【００２３】
制御部５１のＣＰＵ５２は、ドライバ５９を介して、オペレータ用表示器１３０に、精算情報、ＰＯＳ端末１００の各種情報を表示する。
【００２４】
制御部５１のＣＰＵ５２は、ドライバ６０を介して、レシートプリンタ１４０にて商品名、金額等の精算情報を印字し、用紙を切断してレシートとして発行したり、クレジット精算の際にカード所有者の署名を行なうレシートを発行する。
【００２５】
制御部５１のＣＰＵ５２は、ドライバ６１を介して、客用表示器１５０に、精算情報やコマーシャル情報を表示する。
【００２６】
制御部５１のＣＰＵ５２は、ドライバ６２を介して、バーコードスキャナ１６０がスキャンした情報を受け取る。
【００２７】
制御部５１のＣＰＵ５２は、ドライバ６３を介して、リーダライタ１７０にてクレジットカード情報を得たり、カード会社サーバにクレジットカード情報を照会し、各種情報を受け取る。
【００２８】
制御部５１のＣＰＵ５２は、ドライバ６４を介して、オープンスイッチ２０が信号を発しているかの情報を受け取る。
【００２９】
制御部５１のＣＰＵ５２は、ドライバ６５を介して、ソレノイド２１を駆動させ、リーダライタ１７０を使用可能状態にしたり、使用後のリーダライタ１７０をＰＯＳ端末１００内で保持状態にする。
【００３０】
以下に、ＰＯＳ端末１００による精算を、図１、図３乃至図５を用いて説明する。
【００３１】
買物客は、販売店の精算場所であるＰＯＳ端末１００が設置してある場所に購入希望商品を持参する。オペレータは商品に印刷もしくは添付してあるバーコードをバーコードスキャナ１６０を用いてスキャンする（Ｓ１）。なおこの状態においては、ＰＯＳ端末１００は図１に示す状態になっている。
【００３２】
バーコードスキャナ１６０でスキャンをおこなうと、ＰＯＳ端末１００の制御部５１は、スキャンした商品の商品コードを取得する。なおここではバーコードにて説明したが、これに限定する必要はなく、例えばＱＲコード（登録商標）であってもよい。すなわちここで説明したバーコードスキャナ１６０はコードを取得するコード情報取得部に該当する。
【００３３】
次に制御部５１は、入手した商品コードに該当する商品情報をストアサーバ２００の図示しない商品情報保管部より入手する。
【００３４】
全ての購入希望商品のスキャンが完了すると、図示しない精算金額算出部にて精算金額を算出する。
【００３５】
次にオペレータは買物客に対して現金での精算を行なうかを確認する（Ｓ２）。現金での精算である場合（Ｓ２のＹ）、買物客より現金を受取り精算が完了する（Ｓ３）。
【００３６】
現金での精算でない場合（Ｓ２のＮ）、クレジットカードによる支払であるため、オペレータはキーボード１２０に設定してある、クレジット処理開始ボタンを押下する（Ｓ４）。すなわちキーボード１２０は、クレジットカードの利用を入力する入力部に該当する。
【００３７】
クレジット処理開始ボタンが押下されると、リーダライタ１７０がＰＯＳ端末１００から押し出される。
【００３８】
以下図５を用いてリーダライタ１７０を使用可能状態にする方法を説明する。なお図５中、左側がＰＯＳ端末１００の前面側であり、右側がＰＯＳ端末１００の背面側である。従って以下の説明では図５の左側を前面側、図５の右側を背面側として記載する。
【００３９】
リーダライタ１７０は、リーダライタ１７０の一端側に設けられた開放ストッパＡ１４と、他端側に設けられたセンサ押圧片１５と、リーダライタ１７０の背面側に設けられた係止体１６と、係止体１６の端部に設けられた係止片１７とで構成されている。またリーダライタ１７０にはカードスライド溝１２とカードスライド溝１２に沿ってリーダライタヘッド１３が設けられている。
【００４０】
またリーダライタ１７０が入り込むＰＯＳ端末１００側には、リーダライタ１７０が嵌合するサイズにてリーダライタ収納部１１が設けられている。このリーダライタ収納部１１にはＰＯＳ内壁１８が設けられており、このＰＯＳ内壁１８の前記開放ストッパＡ１４側には開放ストッパＢ１９が、前記センサ押圧片１５側にはオープンスイッチ２０が設けられている。
【００４１】
またリーダライタ１７０の背面側にはリーダライタ開放空間２９が設けられており、このリーダライタ開放空間２９にはソレノイド２１およびスプリングホルダ２８が設けられている。またソレノイド２１にはソレノイドアーム２２が設けてあり、ソレノイドアーム２２の一端にはピン２３を介して係止アーム２５が取り付けられていると共に、この係止アーム２５はリーダライタ開放空間２９に立設された回動支軸２４を回動中心として回動可能となっている。またソレノイドアーム２２は図示しないスプリングにて常時図５のＡ方向に付勢されている。
【００４２】
また係止アーム２５の先端には係止フック２６が設けられている。
【００４３】
またスプリングホルダ２８には開放スプリング２７の一端側が固着されており、またＰＯＳ端末１００にリーダライタ１７０が装填されている状態では開放スプリング２７はスプリングホルダ２８とリーダライタ１７０の間で圧縮状態で維持されている。
【００４４】
この状態で、クレジットカードの利用を入力するクレジット処理開始ボタンが押下されると、ＲＯＭ５４に設けられているリーダライタ保持解除指令部７０はドライバ６５を介して、ソレノイド２１を駆動させる（Ｓ５）。
【００４５】
ソレノイド２１を駆動させると、ソレノイドアーム２２は、図５のＢ方向に移動する。ソレノイドアーム２２が図５のＢ方向に移動すると係止アーム２５は回動支軸２４を回動中心として回動する。
【００４６】
ＰＯＳ端末１００にリーダライタ１７０が装填されている状態では、係止アーム２５の先端の係止フック２６は係止片１７に係止した状態となっている。しかしながらソレノイドアーム２２が図５のＢ方向に移動し係止アーム２５が回動支軸２４を回動中心として回動すると係止アーム２５の先端の係止フック２６と係止片１７の係止は解除される。これによりにスプリングホルダ２８とリーダライタ１７０の間で圧縮状態に維持されていた開放スプリング２７によりリーダライタ１７０は図５の左方向であるＰＯＳ端末１００の前面側に押し出される（Ｓ６）。なおリーダライタ１７０には開放ストッパＡ１４が、ＰＯＳ内壁１８には開放ストッパＢ１９が設けられており、これらが当接する事でリーダライタ１７０の突出量が規制される。
【００４７】
図３にリーダライタ１７０がＰＯＳ端末１００より押し出された状態を示す。この状態でオペレータはクレジットカードの読み込みが可能となったので、カードスライド溝１２に沿ってクレジットカードを移動させ、リーダライタヘッド１３にてクレジットカードの情報を読込む（Ｓ７）。
【００４８】
クレジットカードの情報の読込み（Ｓ７）が完了すると、ＰＯＳ端末１００の制御部５１は、リーダライタ１７０がＰＯＳ端末１００の内部に押し戻されて装填された状態になっているかを確認する（Ｓ８）。
【００４９】
リーダライタ１７０がＰＯＳ端末１００の内部に押し戻されて装填された状態になっているかの確認は、ＰＯＳ内壁１８に設けられている位置認識センサであるオープンスイッチ２０によっておこなう。
【００５０】
リーダライタ１７０は、図５の右方向である背面側に押し込まれると、リーダライタ１７０に設けられたセンサ押圧片１５がオープンスイッチ２０に接触する。オープンスイッチ２０は押圧センサであり、リーダライタ１７０がＰＯＳ端末１００の内部に押し戻された位置にて接触を感知する様になっている。従ってオープンスイッチ２０の信号を確認する事でリーダライタ１７０がＰＯＳ端末１００の内部に押し戻されて装填された状態になっているかが確認可能である。なおリーダライタ１７０がＰＯＳ端末１００の内部に押し戻されオープンスイッチ２０がＯＮとなると、ＲＯＭ５４に設けられているリーダライタ保持指令部７１は、ドライバ６５を介してソレノイド２１の通電を解除する。ソレノイド２１の通電を解除すると、図示しないスプリングによる図５のＡ方向への付勢力によりソレノイド２１はＡ方向に移動する。これにより係止アーム２５の係止フック２６が係止片１７と噛み合い、係止状態となる。すなわちソレノイド２１、ソレノイドアーム２２、ピン２３、回動支軸２４、係止アーム２５、係止フック２６および係止片１７にてリーダライタ係止部を構成している。
【００５１】
リーダライタ１７０がＰＯＳ端末１００の内部に押し戻されて装填された状態になっているかを確認（Ｓ８）すなわちオープンスイッチ２０がＯＮとなっているかを確認し、ＰＯＳ端末１００の内部に押し戻されて装填された状態になっていない場合は（Ｓ８のＮ）、オペレータ用表示器１３０に、リーダライタ１７０をＰＯＳ端末１００の内部に押し戻す様警告表示を行なう（Ｓ９）。
【００５２】
リーダライタ１７０がＰＯＳ端末１００の内部に押し戻されて装填された状態になっていることを確認した場合（Ｓ８のＹ）、制御部５１は先ほど得たクレジットカードの情報をカード会社サーバ３００に送信し、カードの認証を行なう（Ｓ１０）。ここでクレジットカードの期限切れ等使用認証がＯＫでなかった場合（Ｓ１０のＮ）、オペレータは買物客に対してカード精算が不可である事を告げ、現金で精算するかを確認する（Ｓ１１）。現金での支払いは行わない（Ｓ１１のＮ）場合は、精算は中止され（Ｓ１２）、現金での支払いを行なう（Ｓ１１のＹ）場合は、現金による精算を実施する（Ｓ１３）。
【００５３】
クレジットカードの認証がＯＫであった場合（Ｓ１０のＹ）、ＰＯＳ端末１００の制御部５１はドライバ６０を介してレシートプリンタ１４０にて署名用レシートや商品レシート等を出力（Ｓ１４）し、クレジットカード精算を完了させる（Ｓ１５）。
【００５４】
以上の様に、リーダライタ１７０を非使用時にはＰＯＳ端末１００の内部に収納してしまう為、水滴等がリーダライタ１７０にかかる事による故障等の発生を防ぐ事が可能となる。
【００５５】
また収納が完了しないと次業務に移行する事が出来ない為、収納しない状態での使用が発生しないので戻し忘れ状態で水滴等がリーダライタ１７０にかかる事による故障等の発生を防ぐ事が可能となる。
【００５６】
またリーダライタ１７０を放出させる方向にのみ働く放出機能である為、装填方向への移動機構は不要となり安価となる。
【００５７】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更をおこなうことができる。これらの実施形態やその変形は、発明の範囲や要旨に含まれると共に、特許請求の範囲に記載された発明とその均等の範囲に含まれる。
【符号の説明】
【００５８】
１１・・リーダライタ収納部
７０・・リーダライタ保持解除指令部
７１・・リーダライタ保持指令部
１００・・ＰＯＳ端末
１２０・・キーボード
１３０・・オペレータ用表示器
１４０・・レシートプリンタ
１６０・・バーコードスキャナ
１７０・・リーダライタ
【図１】
2015046101.tif 000003
【図２】
2015046101.tif 000004
【図３】
2015046101.tif 000005
【図４】
2015046101.tif 000006
【図５】
2015046101.tif 000007